(57)【要約】【課題】  分割ラベル作成機能を有するテープ印刷装置と、該テープ印刷装置を用いて分割ラベルを作成する方法と、分割ラベルの作成をテープ印刷装置に実行させるためのプログラムが記憶された記憶媒体と、を提供する【解決手段】  テープ印刷装置は、制御手段と、入力手段と、印刷手段と、テープ搬送手段と、フルカット手段と、印刷データ作成手段と、印刷内容編集手段と、ラベル長設定手段と、分割情報設定手段と、を有し、分割情報設定手段は、分割位置を設定する分割位置設定手段と、貼付対象の断続部における間隙の値を設定する間隙値設定手段と、分割位置に文字が位置しているかを判定する分割位置確認手段と、分割位置に文字が位置している場合には文字縮小補正処理、分割位置に文字が位置していない場合には文字間隔縮小補正処理を実行する補正手段と、を備える。【選択図】    図８
2010184356.tif 000002
【特許請求の範囲】
【請求項１】
印刷層と剥離層とを積層してなる印刷テープに文字や模様等の印刷を行ない、該印刷テープを所定長で切断することにより、印刷層を貼付対象に貼付して用いるラベルを作成するテープ印刷装置において、
制御手段と、入力手段と、表示手段と、印刷データに従って前記印刷テープに印刷を行なう印刷手段と、前記印刷データを作成する印刷データ作成手段と、を備え、
前記ラベルに印刷する文字や模様、フォント、文字サイズ、文字の間隔、前記印刷テープにおける幅方向及び長手方向の余白等の編集情報を作成する印刷内容編集手段と、
作成するラベルの長さを設定するラベル長設定手段と、
貼付対象面が断続部を有する非連続面であって、該断続部に跨って貼付する場合に使用する分割ラベルを作成するための情報を設定する分割情報設定手段と、を有し、
該分割情報設定手段は、
分割する位置を設定する分割位置設定手段と、
前記貼付対象の断続部における間隙の値を取得する間隙値設定手段と、
前記分割位置に文字が位置しているかを判定する分割位置確認手段と、
前記分割位置確認手段が分割位置に文字が位置していると判定した場合、分割位置に位置している文字の長手方向の長さを前記間隙値設定手段が取得した間隙値に従って縮小する補正を行ない、前記分割位置確認手段が分割位置に文字が位置していないと判定した場合には、前記間隙値設定手段が取得した間隙値に従って前記分割位置前後の文字間隔を縮小する補正を行なう補正手段と、を備えることを特徴とするテープ印刷装置。
【請求項２】
前記分割位置設定手段は、前記ラベル長設定手段が設定したラベルの長さの中心を分割位置として自動で設定することを特徴とする請求項１に記載のテープ印刷装置。
【請求項３】
前記印刷テープを幅方向に切断するフルカット手段を備え、
前記制御手段は、前記印刷手段を制御して前記分割ラベルの前半部分を印刷させた後、前記フルカット手段を制御して該前半部分を幅方向にフルカットさせ、再び前記印刷手段を制御して前記分割ラベルの後半部分を印刷させた後、前記フルカット手段を制御して該後半部分を幅方向にフルカットさせることにより予め分割された分割ラベルを作成することを特徴とする請求項１又は請求項２に記載のテープ印刷装置。
【請求項４】
前記分割情報設定手段は、前記分割ラベルの分断位置の前及び／又は後に余白を設定する分割部余白設定手段を備えることを特徴とする請求項１乃至請求項３のいずれかに記載のテープ印刷装置。
【請求項５】
前記印刷内容編集手段が作成した編集情報に応じて前記印刷テープの幅を設定するテープ幅設定手段を有し、
前記制御手段は、前記印刷手段を制御して印刷を実行させると共に、前記フルカット手段を制御して、前記テープ幅設定手段が設定した幅となるように前記印刷テープを長手方向にフルカットすることを特徴とする請求項１乃至請求項４のいずれかに記載のテープ印刷装置。
【請求項６】
印刷層と剥離層とを積層してなる印刷テープに文字や模様等の印刷を行ない、該印刷テープを所定長で切断することにより、印刷層を貼付対象に貼付して用いるラベルをテープ印刷装置で作成する方法であって、
印刷内容編集手段によって、印刷内容、文字サイズ、余白情報等の編集情報を設定する編集情報設定処理と、
ラベル長設定手段によって、ラベルの長さを設定するラベル長設定処理と、
分割位置設定手段によって、自動で又は手動で分割位置を設定する分割位置設定処理と、
間隙値設定手段によって、貼付対象における断続部の間隙値を設定する断続部間隙値設定処理と、
分割位置確認手段によって、前記分割位置設定処理で設定された分割位置に文字等が位置しているか否かを判定させる分割位置確認処理と、
補正手段によって、前記分割位置確認処理において分割位置に文字が位置していると確認された場合に文字を長手方向に縮小する文字縮小補正処理と、前記分割位置確認処理において分割位置に文字が位置していないと確認された場合に分割位置の前後に位置する文字間隔を縮小する文字間隔縮小補正処理と、
印刷データ作成手段によって、前記編集情報設定処理、ラベル長設定処理、分割位置設定処理、断続部間隙値設定処理、文字縮小補正処理又は文字間隔縮小補正処理、によって設定された情報をもとに印刷データを作成する印刷データ作成処理と、を行なうことを特徴とする分割ラベルの作成方法。
【請求項７】
前記文字縮小補正処理、又は、文字間隔縮小補正処理の後に、分割部余白設定手段によって、前記分割ラベルにおける分割部の前及び／又は後に余白を設定させる余白設定処理を行なうことを特徴とする請求項６に記載の分割ラベルの作成方法。
【請求項８】
印刷層と剥離層とを積層してなる印刷テープに文字や模様等の印刷を行ない、該印刷テープを所定長で切断することにより、印刷層を貼付対象に貼付して用いるラベルを作成する処理を制御手段とされるコンピュータに実行させるプログラムが記憶された記憶媒体であって、
印刷内容編集手段によって、印刷内容、文字サイズ、余白情報等の編集情報を設定する編集情報設定処理と、
ラベル長設定手段によって、ラベルの長さを設定するラベル長設定処理と、
分割位置設定手段によって、自動で又は手動で分割位置を設定する分割位置設定処理と、
間隙値設定手段によって、貼付対象における断続部の間隙値を設定する断続部間隙値設定処理と、
分割位置確認手段によって、前記分割位置設定処理で設定された分割位置に文字等が位置しているか否かを判定させる分割位置確認処理と、
補正手段によって、前記分割位置確認処理において分割位置に文字が位置していると確認された場合に文字を長手方向に縮小する文字縮小補正処理と、前記分割位置確認処理において分割位置に文字が位置していないと確認された場合に分割位置の前後に位置する文字間隔を縮小する文字間隔縮小補正処理と、
印刷データ作成手段によって、前記編集情報設定処理、ラベル長設定処理、分割位置設定処理、断続部間隙値設定処理、文字縮小補正処理又は文字間隔縮小補正処理、によって設定された情報をもとに印刷データを作成する印刷データ作成処理と、
を実現するためのプログラムが記憶されたことを特徴とするコンピュータ読み取り可能な記憶媒体。
【請求項９】
前記文字縮小補正処理、又は、文字間隔縮小補正処理の後に、分割部余白設定手段によって、前記分割ラベルにおける分割部の前及び／又は後に余白を設定させる余白設定処理を実現するためのプログラムが記憶されたことを特徴とする請求項８に記載のコンピュータ読み取り可能な記憶媒体。
【発明の詳細な説明】
【技術分野】
【０００１】
本発明は、分割ラベル作成機能を有するテープ印刷装置と、該テープ印刷装置を用いて分割ラベルを作成する方法と、分割ラベルの作成をテープ印刷装置に実行させるためのプログラムが記憶された記憶媒体に関する。
【背景技術】
【０００２】
テープカセット内に印刷層と剥離層とを積層してなる印刷テープを収納し、このテープカセットを印刷装置にセットして、キーボード等の入力手段から入力された或いは他の機器から出力された文字、記号、ロゴ、キャラクタ、マーク等を任意に印刷することで、固有のラベルを作成できる装置としてテープ印刷装置がある。
【０００３】
このようなテープ印刷装置において使用される印刷テープとしては、従来、文書や文具の管理に利用されるテープ幅の狭いものが一般的であったが、近年、表示や標識として使用可能な程テープ幅が広いものも提供され、テープ印刷装置の用途も多種多様に渡っている。
【０００４】
テープ印刷装置の用途として、例えば、特開平６−７９９２７号公報（特許文献１）におけるテープ印刷装置（スケール印刷装置）では、指定されたスケール（ｃｍやｉｎｃｈ等）の目盛線を印刷するスケール印刷装置として使用する提案がなされている。又、特開平５−５７９８５号公報（特許文献２）では、インデックスラベルを印刷する印刷装置（印字制御装置）として使用する提案がなされている。更に、非常に幅が広い印刷テープを使用して、「会議室」や「社長室」といった表札を作成する場合もある。
【先行技術文献】
【特許文献】
【０００５】
【特許文献１】特開平６−７９９２７号公報
【特許文献２】特開平５−５７９８５号公報
【発明の概要】
【発明が解決しようとする課題】
【０００６】
従来のテープ印刷装置において作成される１種類のラベルは、一平面上に貼付して用いる、或いは、２つ折りにしてインデックスラベルとして用いる等、一体のラベルとして使用することを想定して作成されており、例えば、両開きのキャビネットや自動扉等の開閉部分に両扉に渡って貼付する場合等、１種類のラベルを分割して使用するといった状態を想定して作成する機能は無かった。
【０００７】
よって、従来のテープ印刷装置で作成したラベルを分割して使用するためには、任意の長さで切り離して使用していたが、切り離す位置を定規等で測定する必要があり、手間がかかっていた。又、貼付対象に貼付した後に分割するという方法もあったが、分割部分が剥がれやすくなるという問題点があった。更に、貼付対象にバランスよくラベルを貼付すると、文字の中に分割部分が位置してしまい、分割された文字が読み難くなるという問題が生じることもあった。
【０００８】
本発明は、上述したような従来技術の問題点に鑑みてなされたものであり、分割ラベル作成機能を有するテープ印刷装置と、該テープ印刷装置を用いて分割ラベルを作成する方法と、分割ラベルの作成をテープ印刷装置に実行させるためのプログラムが記憶された記憶媒体と、を提供することを目的とする。
【課題を解決するための手段】
【０００９】
本発明は、印刷層と剥離層とを積層してなる印刷テープに文字や模様等の印刷を行ない、該印刷テープを所定長で切断することにより、印刷層を貼付対象に貼付して用いるラベルを作成するテープ印刷装置において、制御手段と、入力手段と、表示手段と、印刷データに従って前記印刷テープに印刷を行なう印刷手段と、前記印刷データを作成する印刷データ作成手段と、を備え、前記ラベルに印刷する文字や模様、フォント、文字サイズ、文字の間隔、前記印刷テープにおける幅方向及び長手方向の余白等の編集情報を作成する印刷内容編集手段と、作成するラベルの長さを設定するラベル長設定手段と、貼付対象面が断続部を有する非連続面であって、該断続部に跨って貼付する場合に使用する分割ラベルを作成するための情報を設定する分割情報設定手段と、を有し、該分割情報設定手段は、分割する位置を設定する分割位置設定手段と、前記貼付対象の断続部における間隙の値を取得する間隙値設定手段と、前記分割位置に文字が位置しているかを判定する分割位置確認手段と、前記分割位置確認手段が分割位置に文字が位置していると判定した場合、分割位置に位置している文字の長手方向の長さを前記間隙値設定手段が取得した間隙値に従って縮小する補正を行ない、前記分割位置確認手段が分割位置に文字が位置していないと判定した場合には、前記間隙値設定手段が取得した間隙値に従って前記分割位置前後の文字間隔を縮小する補正を行なう補正手段と、を備えることを特徴とする。
【００１０】
又、前記分割位置設定手段は、前記ラベル長設定手段が設定したラベルの長さの中心を分割位置として自動で設定することを特徴とする。
【００１１】
更に、テープ印刷装置は、前記印刷テープを幅方向に切断するフルカット手段を備え、前記制御手段は、前記印刷手段を制御して前記分割ラベルの前半部分を印刷させた後、前記フルカット手段を制御して該前半部分を幅方向にフルカットさせ、再び前記印刷手段を制御して前記分割ラベルの後半部分を印刷させた後、前記フルカット手段を制御して該後半部分を幅方向にフルカットさせることにより予め分割された分割ラベルを作成することを特徴とする。
【００１２】
又、前記分割情報設定手段は、前記分割ラベルの分断位置の前及び／又は後に余白を設定する分割部余白設定手段を備えることを特徴とする。
【００１３】
そして、テープ印刷装置は、前記印刷内容編集手段が作成した編集情報に応じて前記印刷テープの幅を設定するテープ幅設定手段を有し、前記制御手段は、前記印刷手段を制御して印刷を実行させると共に、前記フルカット手段を制御して、前記テープ幅設定手段が設定した幅となるように前記印刷テープを長手方向にフルカットすることを特徴とする。
【００１４】
又、本発明の分割ラベルの作成方法は、印刷層と剥離層とを積層してなる印刷テープに文字や模様等の印刷を行ない、該印刷テープを所定長で切断することにより、印刷層を貼付対象に貼付して用いるラベルをテープ印刷装置で作成する方法であって、印刷内容編集手段によって、印刷内容、文字サイズ、余白情報等の編集情報を設定する編集情報設定処理と、ラベル長設定手段によって、ラベルの長さを設定するラベル長設定処理と、分割位置設定手段によって、自動で又は手動で分割位置を設定する分割位置設定処理と、間隙値設定手段によって、貼付対象における断続部の間隙値を設定する断続部間隙値設定処理と、分割位置確認手段によって、前記分割位置設定処理で設定された分割位置に文字等が位置しているか否かを判定させる分割位置確認処理と、補正手段によって、前記分割位置確認処理において分割位置に文字が位置していると確認された場合に文字を長手方向に縮小する文字縮小補正処理と、前記分割位置確認処理において分割位置に文字が位置していないと確認された場合に分割位置の前後に位置する文字間隔を縮小する文字間隔縮小補正処理と、印刷データ作成手段によって、前記編集情報設定処理、ラベル長設定処理、分割位置設定処理、断続部間隙値設定処理、文字縮小補正処理又は文字間隔縮小補正処理、によって設定された情報をもとに印刷データを作成する印刷データ作成処理と、を行なうことを特徴とする。
【００１５】
又、分割ラベルの作成方法は、前記文字縮小補正処理、又は、文字間隔縮小補正処理の後に、分割部余白設定手段によって、前記分割ラベルにおける分割部の前及び／又は後に余白を設定させる余白設定処理を行なうことを特徴とする。
【００１６】
そして、本発明は、印刷層と剥離層とを積層してなる印刷テープに文字や模様等の印刷を行ない、該印刷テープを所定長で切断することにより、印刷層を貼付対象に貼付して用いるラベルを作成する処理を制御手段とされるコンピュータに実行させるプログラムが記憶された記憶媒体であって、印刷内容編集手段によって、印刷内容、文字サイズ、余白情報等の編集情報を設定する編集情報設定処理と、ラベル長設定手段によって、ラベルの長さを設定するラベル長設定処理と、分割位置設定手段によって、自動で又は手動で分割位置を設定する分割位置設定処理と、間隙値設定手段によって、貼付対象における断続部の間隙値を設定する断続部間隙値設定処理と、分割位置確認手段によって、前記分割位置設定処理で設定された分割位置に文字等が位置しているか否かを判定させる分割位置確認処理と、補正手段によって、前記分割位置確認処理において分割位置に文字が位置していると確認された場合に文字を長手方向に縮小する文字縮小補正処理と、前記分割位置確認処理において分割位置に文字が位置していないと確認された場合に分割位置の前後に位置する文字間隔を縮小する文字間隔縮小補正処理と、印刷データ作成手段によって、前記編集情報設定処理、ラベル長設定処理、分割位置設定処理、断続部間隙値設定処理、文字縮小補正処理又は文字間隔縮小補正処理、によって設定された情報をもとに印刷データを作成する印刷データ作成処理と、を実現するためのプログラムが記憶されたことを特徴とする。
【００１７】
又、コンピュータ読み取り可能な記憶媒体は、前記文字縮小補正処理、又は、文字間隔縮小補正処理の後に、分割部余白設定手段によって、前記分割ラベルにおける分割部の前及び／又は後に余白を設定させる余白設定処理を実現するためのプログラムが記憶されたことを特徴とする。
【発明の効果】
【００１８】
本発明によれば、分割ラベル作成機能を有するテープ印刷装置と、該テープ印刷装置を用いて分割ラベルを作成する方法と、分割ラベルの作成をテープ印刷装置に実行させるためのプログラムが記憶された記憶媒体と、を提供できる。
【図面の簡単な説明】
【００１９】
【図１】本発明の実施例に係るテープ印刷装置の斜視図である。
【図２】本発明の実施例に係るテープ印刷装置の内部拡大図及びテープカセットの斜視図である。
【図３】本発明の実施例に係るテープ印刷装置の機能ブロック図である。
【図４】本発明の実施例に係る分割ラベルの貼付対象の例を示す図である。
【図５】本発明の実施例に係るテープ印刷装置で分割ラベルを作成する方法を説明する図である。
【図６】本発明の実施例に係るテープ印刷装置で分割ラベルを作成する場合における文字の補正の例を示す図である。
【図７】本発明の実施例に係るテープ印刷装置で作成した分割ラベルの一例を示す図である。
【図８】本発明の実施例に係るテープ印刷装置で分割ラベルを作成する場合のフローチャート図である。
【図９】本発明の実施例に係るテープ印刷装置で分割ラベルを作成する場合における表示部に表示された画面表示の例を示す図である。
【発明を実施するための形態】
【００２０】
以下、本発明を実施するための形態について述べる。本発明のテープ印刷装置1は、印刷層と剥離層とを積層してなる印刷テープ31に文字や模様等の印刷を行ない、該印刷テープ31を所定長で切断することにより、印刷層を貼付対象70に貼付して用いる装置であり、貼付対象70面が断続部を有する非連続面であって、該断続部に跨って貼付する場合に使用する予め分割された分割ラベル61を作成する分割ラベル作成機能を有している。
【００２１】
このテープ印刷装置1は、制御手段としてのＣＰＵ41と、入力手段としての入力部3と、印刷データに従って印刷テープ31に印刷を行なう印刷手段としてのサーマルヘッド11と、印刷データに従って印刷テープ31を切断するフルカット手段としてのフルカット装置17と、印刷データを作成する印刷データ作成手段と、分割ラベル61に印刷する文字や模様、フォント、文字サイズ、文字の間隔、印刷テープ31における幅方向及び長手方向の余白等の編集情報を作成する印刷内容編集手段と、作成するラベルの長さを設定するラベル長設定手段と、分割ラベル61を作成するための情報を設定する分割情報設定手段と、を有している。
【００２２】
又、分割情報設定手段は、分割位置を設定する分割位置設定手段と、貼付対象70の断続部における間隙の値を設定する間隙値設定手段と、分割位置に文字が位置しているかを判定する分割位置確認手段と、分割位置確認手段が分割位置に文字が位置していると判定した場合、分割位置に位置している文字の長手方向の長さを間隙値設定手段が取得した間隙値に従って縮小する補正を行ない、分割位置確認手段が分割位置に文字が位置していないと判定した場合には、間隙値設定手段が取得した間隙値に従って分割位置前後の文字間隔を縮小する補正を行なう補正手段と、分割位置の前及び／又は後に形成する余白を設定する分割部余白設定手段と、を備える。
【００２３】
そして、制御手段は、印刷手段を制御して分割ラベル61の前半部分を印刷させた後、フルカット手段を制御して該前半部分を幅方向にフルカットさせ、再び印刷手段を制御して分割ラベル61の後半部分を印刷させた後、フルカット手段を制御して該後半部分を幅方向にフルカットさせることにより予め分割された分割ラベル61を作成する。
【実施例】
【００２４】
以下、本発明の実施例を図に基づいて詳説する。図１は、本発明の実施例に係るテープ印刷装置1の外観を示す斜視図であり、図２は、このテープ印刷装置1に使用するテープカセット21の外観及びテープ印刷装置1の内部構造の一部を示す斜視図である。テープ印刷装置1は、表面に印刷面を備え裏面が粘着面とされた印刷層と、粘着面に貼着される剥離層と、が積層されて形成された印刷テープ31に文字や模様等を印刷する装置である。
【００２５】
このテープ印刷装置1は、図１に示すように、方形状の上面と、この上面から前方に傾斜する傾斜面と、両側面及び下面並びに背面とから形成された中空の筐体2を有し、筐体2の傾斜面には入力部3が形成され、上面には表示部4並びに開閉蓋5が形成され、所定の一側面には印刷テープ31が繰り出されるテープ繰出部7が形成されている。尚、図示しないが、筐体2には、外部機器と接続するための入力端子や電源コードが接続される電源端子、メモリーカード等の記憶媒体が挿入される挿入口等も形成されている。
【００２６】
入力部3は、文字データを入力する文字入力キー、印刷開始を指示する印刷キー、表示部4の表示画面上のカーソルを移動操作するカーソルキー、印刷モードの設定や各種設定処理を行なう種々の制御キーによって構成されている。又、表示部4は、液晶表示装置等とされるものであって、入力されたデータに関する画像、各種の設定のための選択メニュー、各種の処理に関するメッセージ等が表示される。
【００２７】
そして、開閉蓋5の内側には、図２に示すように、印刷テープ31及びインクリボン35を収容したテープカセット21を装填するためのカセット装填部8が形成されている。又、カセット装填部8内には、テープ印刷機構45と、テープカセット21を所定の位置に支持するためのカセット受部15と、が形成されている。このテープ印刷機構45は、縦方向に配列された印刷素子と、印刷ヘッドとされるサーマルヘッド11と、サーマルヘッド11との間で印刷テープ31及びインクリボン35を挟み込んでこれを搬送するプラテンローラ12と、印刷に使用したインクリボン35をテープカセット21内に巻取るリボン巻取軸13と、を備える。
【００２８】
又、カセット装填部8の一端部に筐体2の外に通じる上述したテープ繰出部7が形成されており、このテープ繰出部7には、印刷テープ31の印刷層及び剥離層を幅方向にカットするフルカット手段としてのフルカット装置17と、印刷テープ31の印刷層のみをカットするハーフカット手段としてのハーフカット装置18が組み込まれている。
【００２９】
更に、テープカセット21は、カセットケース22を備え、このカセットケース22の内部には、印刷テープ31が巻装されたテープコア23、未使用のインクリボン35が巻装されたリボン供給コア24、使用済みのインクリボン35を巻取るリボン巻取コア25が夫々収納されている。又、テープカセット21のカセットケース22には、カセット装填部8内にテープカセット21を装填した場合にサーマルヘッド11が位置するヘッド配置部27が形成されている。
【００３０】
又、カセットケース22の隅部には、カセット装填部8のカセット受部15と係合し、このカセット受部15によって支持される被係合部29が形成されている。又、このカセットケース22の被係合部29には、図示しないがテープカセット21の種類に応じた所定の凹凸が形成されており、カセット装填部8のカセット受部15には、テープカセット21が装填された場合にカセットケース22の被係合部29に形成された凹凸を判別する所定の可動突起16が形成されている。そして、カセットケース22がカセット装填部8に装填されると、カセットケース22の被係合部29に形成された凹凸とカセット装填部8のカセット受部15に形成された可動突起16が係合し、テープカセット21の種類が判別される。
【００３１】
このテープ印刷装置1は、印刷の指示がされると、印刷テープ31及びインクリボン35がテープカセット21から繰り出され、プラテンローラ12とサーマルヘッド11の間に重ね合わされた状態で挟み込まれて搬送される。そして、サーマルヘッド11が印刷データに基づいて発熱駆動され、インクリボン35のインクが印刷テープ31に熱転写されて印刷テープ31に印刷が行なわれ、印刷が終了するとフルカット装置17が作動して印刷テープ31が幅方向に切断され、１枚の貼付テープが作成される。
【００３２】
図３はこのテープ印刷装置1の回路構成を示すブロック図である。このテープ印刷装置1は、図３に示すように、制御部40と、テープ印刷機構45と、フルカット装置17と、ハーフカット装置18と、を備える。
【００３３】
この制御部40は、制御手段とされるＣＰＵ41と、ＣＰＵ41に接続された上述の入力部3や表示部4、各種のシステムプログラムやフォント等が記憶されたＲＯＭ42、ワークメモリとしてのＲＡＭ43、外部機器と接続される入出力インターフェース44を備える。
【００３４】
そして、制御手段とされるＣＰＵ41は、入力部3からのキー操作信号に応じて、又は、自動でＲＯＭ42に予め記憶されているシステムプログラム、メモリカードに記憶された制御プログラム、入出力インターフェース44に接続された外部機器から読み込まれた制御プログラム等を起動させ、ＲＡＭ43をワークメモリとして回路各部の動作を制御する。
【００３５】
ＲＯＭ42は、記憶手段とされるものであって、入力部3から入力された文字を印刷するためのプログラム、印刷フォント、目印となる記号、或いは、塗り潰しに使用される斜線や網目、ドット模様等が記憶され、ＣＰＵ41で読取り可能なプログラムが記憶された記録媒体としても機能する。
【００３６】
ＲＡＭ43は、記憶手段とされるものであって、キー入力された文字や選択された模様、サイズや文字間隔等の印刷情報を記憶する入力データメモリ、入力された印刷情報が展開された印刷パターンデータが記憶される印刷データメモリ、表示部4に表示されるパターンデータが記憶される表示データメモリ等の各領域が確保され、印刷処理等に必要なデータを一時的に記憶するレジスタやカウンタ等が設けられている。
【００３７】
テープ印刷機構45は、上述したように、テープ印刷手段とされるサーマルヘッド11と、搬送手段とされるプラテンローラ12及びプラテンローラ12を駆動させるステッピングモータ46とを備える。そして、テープ印刷機構45は、ステッピングモータ46が制御部40に制御されてプラテンローラ12を駆動させ、プラテンローラ12とサーマルヘッド11の間に位置する上述した印刷テープ31を搬送し、制御部40から出力された印刷データに基づいてサーマルヘッド11が印刷テープ31に文字や模様等を熱転写することによって印刷テープ31に随時文字や模様等を印刷する。
【００３８】
フルカット装置17は、固定刃17aと、可動刃17bと、可動刃17bを駆動させるステッピングモータ48と、印刷テープ31の長手方向の位置を検知する位置センサ49と、を備える。そして、このフルカット装置17は、制御部40によって制御されるものであり、位置センサ49で印刷テープ31の位置を検知し、この検知した位置の情報である位置情報を制御部40に出力し、位置センサ49から位置情報を受信した制御部40がステッピングモータ48に駆動信号を出力して可動刃17bを駆動させ、固定刃17aと可動刃17bとの間で鋏の要領で印刷テープ31を幅方向にフルカットする。
【００３９】
又、ハーフカット装置18は、固定刃18aと、可動刃18bと、可動刃18bを駆動させるＤＣモータ50と、を備える。そして、ハーフカット装置18は、ＤＣモータ50が制御部40に制御されて可動刃18bを駆動させ、固定刃18aに可動刃18bを押し付けることにより印刷テープ31の印刷層のみをカットする。
【００４０】
そして、本実施例のテープ印刷装置1は、図４（ａ）に示すような両開きの扉等の両扉に跨って貼付されるラベルや、図４（ｂ）に示すような箱の開閉部分に貼付されるラベルや、図４（ｃ）に示すような段差部分に貼付されるラベル等、連続面ではなく非連続な断続部に分割して貼付される分割ラベル61を作成する分割ラベル作成機能を備えている。
【００４１】
この分割ラベル作成機能は、図３に示した制御手段としてのＣＰＵ41と、記憶手段としてのＲＯＭ42やＲＡＭ43と、入力手段としての入力部3と、表示手段としての表示部4と、印刷手段としてのサーマルヘッド11と、搬送手段とされるプラテンローラ12と、フルカット手段としてのフルカット装置17と、印刷データ作成手段と、印刷内容編集手段と、ラベル長設定手段と、印刷モード判定手段と、分割情報設定手段と、によって実現されている。
【００４２】
印刷内容編集手段は、分割ラベル61に印刷する文字、記号、ロゴ、キャラクタ、マーク等を使用者に編集させる画面を表示手段に表示させ、入力手段を用いて使用者に編集させることにより編集情報を作成する。尚、編集情報の中には上述した文字や記号等の他に、文字のフォント、文字サイズ、文字間隔、ラベルの前後或いは上下の余白情報等も含まれている。又、印刷内容編集手段は、装填されている上述したテープカセット21が備える印刷テープ31の幅から自動で文字サイズや文字間隔を設定するといった処理も実行する。
【００４３】
ラベル長設定手段は、作成するラベルの長さＬを使用者に入力させる画面を表示手段に表示させ、ラベルの長さＬを入力させることによりラベルの長さを設定する。このラベルの長さＬは、作成する分割ラベル61の長さと必ずしも一致するものではなく、例えば、図４（ａ）に示したような両開きの扉の両扉に跨って分割ラベル61を貼付した場合には、両扉が完全に閉じている状態での分割ラベル61の長さと断続部の間隙値ｂとの合計値がラベルの長さＬとなる。
【００４４】
印刷モード判定手段は、表示手段に印刷モードを選択させる画面を表示させて使用者に印刷モードを選択させ、通常印刷或いは分割印刷等の印刷モードを判定する処理を実行する。
【００４５】
分割情報設定手段は、貼付対象面が断続部を有する非連続面であって、該断続部に跨って貼付する場合に使用する分割ラベル61を作成するための分割情報を設定する処理を実行する。そして、分割情報設定手段は、分割位置設定手段と、間隙値設定手段と、分割位置確認手段と、補正手段と、分割部余白設定手段と、から構成され、分割情報とは、これらの各手段が設定する、分割する位置、間隙値、分割部の余白、補正等の情報をさす。
【００４６】
分割位置設定手段は、ラベルの中心位置を分割位置として自動で設定する、或いは、分割位置を使用者に設定させる画面を表示手段に表示させ、使用者に入力させることにより分割位置を手動で設定する。つまり、この分割位置設定手段は、基本的にラベルの長手方向を２等分する中心線を自動で分割位置と設定するが、使用者が任意の分割位置を指定した場合には、指定された位置を分割位置として設定する。
【００４７】
間隙値設定手段は、貼付対象70における断続部の間隙値ｂを使用者に入力させる画面を表示手段に表示させ、入力された情報をもとに間隙値ｂの情報を作成する。この断続部の間隙値ｂとは、例えば図４（ａ）に示したように両開きの扉の場合、両扉が閉じている状態であっても両扉の間に僅かな間隙ができてしまうことがあり、このような僅かな間隙の長さを間隙値ｂとしている。尚、間隙値ｂの値は自由に設定できるが、間隙が文字上に位置する場合等を考慮して、印刷する文字サイズに対応した上限を設定する構成とすることもできる。
【００４８】
分割位置確認手段は、分割位置設定手段が設定した分割位置上に文字が位置しているか否かを判定し、補正手段に判定結果を出力する処理を実行する。
【００４９】
補正手段は、分割位置確認手段が分割位置に文字が位置していないと判定した場合、間隙値設定手段が取得した間隙値ｂに従って分割位置前後の文字間隔を縮小する補正を行なう。つまり、図５（ａ）に示すように、「掃除用具」の「除」と「用」の間に分割位置がある場合には、図５（ｂ）に示すように、分割位置における文字間隔ａから断続部の間隙値ｂを減算し、この減算結果に基づいて分割ラベル61の前半部分及び後半部分の長さを縮小する補正処理を実行する。
【００５０】
よって、作成される分割ラベル61の全長はＬ−ｂとなり、分割ラベル61の前半部分及び後半部分の長さは夫々ｂ／２短くなるが、図５（ｃ）に示すように、貼付対象70に貼付した場合には、貼付した分割ラベル61の前半部分と後半部分との間に、長さをｂとする間隙があるため、使用者が設定したラベル長Ｌとなる。
【００５１】
又、補正手段は、分割位置確認手段が分割位置に文字が位置していると判定した場合、分割位置に位置している文字の長手方向の長さを間隙値設定手段が取得した間隙値ｂに従って縮小する補正を行なう。
【００５２】
具体的に述べると、補正手段は、分割位置が、図４（ａ）に示したように、「薬品庫」の「品」という文字を左右に分断するような位置に来た場合や、図４（ｂ）に示したように、「あいう」の「い」を横方向に分断するような位置に来た場合には、以下のような補正処理を実行する。図６（ａ）に示すように、「品」の文字内に分割位置が位置した場合であって間隙値がｂである場合、図６（ｂ）に示すように、「品」の文字における間隙内の領域をそのまま削除すると文字を構成する為の線が消えてしまい、読み難い文字となってしまう。
【００５３】
又、図６（ｃ）に示すように、「品」の分割位置における間隙の中心軸を中心に文字を間隙値ｂだけ左右に広げた場合、左右にｂ／２ずつ文字幅が広がるため、他の文字との整合性がとれなくなる。よって、補正手段は、図６（ｄ）に示すように、「品」の文字の構成パーツである「口」の文字をラベルの長手方向に対して縮小して間隙に線がかかる量を少なくし、文字を構成する為の線がはっきり見えた状態となるように補正を行なう。つまり、分割部の間隙に文字の構成パーツがなるべくかからないように文字の構成パーツを縮小する補正を行なうことにより、他の文字とのバランスを保ちつつ、見やすい文字が印刷できるように補正処理を実行している。
【００５４】
分割部余白設定手段は、分断する位置に余白を形成するか否か、及び、余白を形成する場合の余白の長さＹを使用者に設定させる画面を表示手段に表示させ、使用者に入力させることにより分割部の余白を設定する。つまり、分割部余白設定手段は、図７（ａ）に示すように、補正手段が補正した分割部分に長さをＹとする余白を設定する。
【００５５】
このように余白が設定された印刷ラベル61は、図７（ｂ）に示すように、扉に余白部分を折り込んだ状態で貼付できるため、貼付対象70の断続線の部分に分割ラベル61の端部が位置することが無くなり、剥がれ難い分割ラベル61を作成できる。尚、この分割部の余白は、分割ラベル61の前半部分のみ或いは後半部分のみに形成することも可能である。
【００５６】
印刷データ作成手段は、印刷内容編集手段、ラベル長設定手段、分割情報設定手段が設定した情報と、ＲＯＭ42に記憶されたフォント等の情報から、分割ラベル61の印刷データを作成する。そして、印刷データ作成手段が作成した印刷データに基づいて印刷、フルカット等の作業が実施される。
【００５７】
次に、テープ印刷装置1において、分割ラベル61を作成する場合における制御動作について図８に示すフローチャート及び図９に示す表示画面の例を示した図を用いて述べる。電源がＯＮとなると、制御手段は、印刷内容編集手段として、図９（ａ）に示すような印刷内容の編集画面を表示手段に表示させ、使用者に入力手段を操作させることにより印刷内容を編集させ、この編集内容から印刷内容、文字サイズ、余白情報等の編集情報を設定する編集情報設定処理（ステップＳ１０１）を実行する。
【００５８】
又、制御手段は、ラベル長設定手段として、図９（ｂ）に示すようなラベルの長さＬを入力させる画面を表示手段に表示させ、使用者にラベルの長さＬを入力させ、ラベルの長さＬを設定するラベル長設定処理（ステップＳ１０５）を実行する。
【００５９】
次に、制御手段は、印刷モード判定手段として、図９（ｃ）に示すような「通常印刷」と「分割印刷」を選択させる画面を表示手段に表示させる印刷方式選択画面表示処理（ステップＳ１１０）を実行し、使用者が「分割印刷」を選択したか否か判定する分割印刷判定処理（ステップＳ１１５）を実行する。分割印刷判定処理（ステップＳ１１５）において、「分割印刷」が選択されなかった、つまり、「通常印刷」が選択された場合、制御手段は、印刷データ作成手段として、印刷内容編集手段及びラベル長設定手段が取得した情報をもとに印刷データを作成する印刷データ作成処理（ステップＳ１７０）を実行し、印刷手段としてこの印刷データをもとに印刷を実行し（ステップＳ１７５）、フルカット手段としてフルカット処理を実行し（ステップＳ１８０）、ラベル作成を終了する。
【００６０】
分割印刷判定処理（ステップＳ１１５）において、「分割印刷」が選択された場合、制御手段は、分割位置設定手段として、図９（ｄ）に示すような分割位置を入力する画面を表示手段に表示させ、使用者に入力手段を操作させることにより分割位置を設定する分割位置設定処理（ステップＳ１１７）を実行する。尚、分割位置設定処理（ステップＳ１１７）では、使用者に分割位置を設定させる場合に限らず、分割位置設定手段が自動でラベルにおける長手方向の半分の位置を分割位置と設定する構成とすることもできる。
【００６１】
次に、制御手段は、間隙値設定手段として、図９（ｅ）に示すように初期値を０の値として貼付対象70の断続部の間隙値ｂを入力する画面を表示させ、使用者に入力手段を操作させることで間隙値ｂを設定する断続部間隙値設定処理（ステップＳ１２０）を実行する。そして、制御手段は、分割位置確認手段として、分割位置設定処理（ステップＳ１１７）で設定された分割位置に文字等が位置しているか否かを判定させる分割位置確認処理（ステップＳ１２２）を実行する。
【００６２】
分割位置確認処理（ステップＳ１２２）において、分割位置に文字が位置している場合、制御手段は、補正手段として上述したように文字をラベルの長手方向に縮小する文字縮小補正処理（ステップＳ１２３）を実行する。又、分割位置確認処理（ステップＳ１２２）において、分割位置に文字が位置していない場合、制御手段は、補正手段として分割位置の前後に位置する文字間隔を縮小する文字間隔縮小補正処理（ステップＳ１２４）を実行する。
【００６３】
文字縮小補正処理（ステップＳ１２３）又は文字間隔縮小補正処理（ステップＳ１２４）の後、制御手段は、図９（ｆ）に示すような分割ラベル61の分割部に余白を設定するか否かを問い合わせる画面を表示させて使用者に選択させる分割部余白有無判定処理（ステップＳ１２５）を実行する。
【００６４】
分割部余白有無判定処理（ステップＳ１２５）において、使用者が余白有りを選択した場合、分割部余白設定手段として、図９（ｇ）に示すような余白を設定する画面を表示させ、使用者に入力手段を操作させることで分割部の前及び／又は後に余白を設定させる余白設定処理（ステップＳ１３０）を実行し、印刷データ作成手段として、印刷内容編集手段、ラベル長設定手段、分割位置設定手段、間隙値設定手段、補正手段、分割部余白設定手段が設定した情報をもとに印刷データを作成する印刷データ作成処理（ステップＳ１３５）を実行する。
【００６５】
又、分割部余白有無判定処理（ステップＳ１２５）において、使用者が余白無しを選択した場合、制御手段は、印刷データ作成手段として、印刷内容編集手段、ラベル長設定手段、分割位置設定手段、補正手段、間隙値設定手段が作成した情報をもとに印刷データを作成する印刷データ作成処理（ステップＳ１３５）を実行する。
【００６６】
そして、印刷データ作成処理（ステップＳ１３５）において印刷データの作成が終了すると、制御手段は、印刷手段を制御してまず分割ラベル61の前半部分を印刷する前半部分印刷処理（ステップＳ１４０）を実行し、前半部分の印刷が終了するとフルカット手段を制御して前半部分のラベルを切り落とすフルカット処理（ステップＳ１４５）を実行する。尚、分割部の余白が設定されている場合、制御手段は、フルカット処理（ステップＳ１４５）の前に搬送手段を制御して、余白の長さ分印刷テープ31を繰出し、その後にフルカット処理（ステップＳ１４５）を実行する。又、分割部をここではフルカット手段によって切断しているが、上述したハーフカット手段を制御してハーフカットを施す構成とすることもできる。
【００６７】
次に、制御手段は、印刷手段を制御して分割ラベル61の後半部分を印刷する後半部分印刷処理（ステップＳ１５０）を実行し、後半部分の印刷が終了するとフルカット手段を制御して分割ラベル61の後半部分を切り落とすフルカット処理（ステップＳ１５５）を実行し、ラベル作成を終了する。尚、後半部分にも余白の設定がされている場合、制御手段は、後半部分印刷処理（ステップＳ１５０）の前に搬送手段を制御して、余白の長さ分印刷テープ31を繰出し、その後に後半部分印刷処理（ステップＳ１５０）を実行する。
【００６８】
尚、図８のフローチャートに示したこれらの処理は、コンピュータに実行させることのできるプログラムとして、例えば磁気ディスク、光ディスク、半導体メモリ等の記憶媒体に書き込んだ状態で各種装置に適用したり、通信媒体により伝送して各種装置に適用することも可能である。このように所望の記憶媒体に本実施例で述べた各処理を記憶させ、他のコンピュータ等でプログラムを実行させることにより、本実施利のテープ印刷装置1を用いた場合と同様に分割ラベル61を容易に作成することができる。
【００６９】
本実施例のテープ印刷装置1によれば、印刷内容とラベルの長さを入力した後、分割位置及び貼付対象70の断続部における間隙値ｂを入力すると、自動的に分割ラベル61が印刷されるため、バランスよく貼付することが困難であった断続面の断続部に、バランスよく貼付することができる分割ラベル61を容易に作成することができる。
【００７０】
又、分割位置設定手段がラベルの長さの中心を分割位置として自動で設定する構成とすることにより、使用者が分割位置を手動で設定する必要が無くなり、分割ラベル61の作成がより容易となる。
【００７１】
更に、前半部分、後半部分を切断した状態の分割ラベル61を作成することにより、使用者が自らラベルを切断するという作業が必要なくなるため業務効率等を上げることができると共に、切断ミス等によって再度印刷する必要があるといった状況が無くなるため、印刷テープ31の消費速度を下げることもでき、コスト削減を図ることができる。
【００７２】
又、分割部余白設定手段を備えることにより、貼付対象70の分割部における角地点に貼付するラベルの端部が位置してしまい、剥がれやすくなるという問題点を解消することができる。
【００７３】
又、補正手段がラベルの長さＬから間隙値ｂを減算して印刷データを作成することにより、貼付対象70の断続部に間隙がある場合等において、ラベルを分割して貼付した時に文字間隔が広がってしまいバランスが悪くなるといったことが無くなるため、読みやすく見栄えもよい分割ラベル61を容易に作成できる。
【００７４】
そして、編集情報、分割ラベル61の長さ情報、分割位置の情報、間隙値、を作成するプログラムと、これらの情報から分割ラベル61の印刷データを作成するプログラムと、該印刷データに基づいて印刷及び切断を行なうプログラムとが記憶された記憶媒体を備えることにより、テープ印刷装置1の表示部4に表示された指示に従って使用者が作業するだけで容易に分割ラベル61を作成できる。
【００７５】
尚、上述した実施例では、制御手段により制御されて、印刷テープ31を幅方向に切断するフルカット装置17を備えたテープ印刷装置1について述べたが、手動により印刷テープ31を切断する手動フルカット装置のみを備えたテープ印刷装置1であっても同様に分割ラベルを作成することができる。
【００７６】
又、印刷テープ31の長手方向にも切断可能なフルカット装置17を備えたテープ印刷装置1を使用することもできる。このようなテープ印刷装置1では、上述した実施例における各手段に加えて、印刷内容編集手段が作成した編集情報に応じて印刷テープ31の幅情報を設定するテープ幅設定手段を有しており、印刷データ作成手段がテープ幅設定手段が設定した印刷テープ31の幅情報を含めた印刷データを作成し、印刷実行時において、印刷テープ31を長手方向にカットすることにより、貼付対象70によって分割ラベル61の幅も変更できるようになる。
【００７７】
よって、図４（ｂ）に示した、縦書きで「あいう」と書かれた分割ラベル61を作成する場合等において、使用者が所望の幅の分割ラベル61を作成できるようになり、貼付位置が限定されることなく様々な状況で使用可能な分割ラベル61を作成できると共に、テープカセット21を交換することなく、様々な幅の分割ラベル61を作成できるようになる。又、図４（ｂ）の「ＡＢ」のように、長手方向に分割された分割ラベル61を作成することもできる。
【００７８】
更に、本発明は、以上の実施例に限定されるものでなく、発明の要旨を逸脱しない範囲で自由に変更、改良が可能である。
【符号の説明】
【００７９】
1  テープ印刷装置                        2  筐体
3  入力部                                4  表示部
5  開閉蓋                                7  テープ繰出部
8  カセット装填部                        11  サーマルヘッド
12  プラテンローラ                       13  リボン巻取軸
15  カセット受部                         16  可動突起
17  フルカット装置
18  ハーフカット装置                     17a,18a  固定刃
17b,18b  可動刃                          21  テープカセット
22  カセットケース                       23  テープコア
24  リボン供給コア                       25  リボン巻取コア
27  ヘッド配置部                         29  被係合部
31  印刷テープ                           35  インクリボン
40  制御部                               41  ＣＰＵ
42  ＲＯＭ                               43  ＲＡＭ
44  入出力インターフェース               45  テープ印刷機構
46,48  ステッピングモータ                49  位置センサ
50  ＤＣモータ
61  分割ラベル                           70  貼付対象
【図１】
2010184356.tif 000003
【図２】
2010184356.tif 000004
【図３】
2010184356.tif 000005
【図４】
2010184356.tif 000006
【図５】
2010184356.tif 000007
【図６】
2010184356.tif 000008
【図７】
2010184356.tif 000009
【図８】
2010184356.tif 000010
【図９】
2010184356.tif 000011